(57)【特許請求の範囲】
【請求項１】
電話回線と、住戸の玄関口などに設置されたドアホンと、集合住宅の監視室などに設置された監視盤とを接続するとともに、電話機を接続し、上記電話回線、ドアホン、監視盤のいずれかを切替接続して、上記電話機による通話を可能とする電話回線／ドアホン切替アダプタにおいて、
予め、上記電話機による複数桁のダイヤル操作の各々に対応させ、かつ、１桁のダイヤル操作の各々にも対応させた、特定の機能を登録しており、
上記電話機の通話中に有効なダイヤル操作を、複数桁のダイヤル操作と１桁のダイヤル操作のいずれかに切替可能に設定する設定手段を備え、
上記設定手段により複数桁のダイヤル操作が有効に設定されている状態において、上記電話機の通話中に、上記電話機から複数桁のダイヤル信号を受信したときには、その複数桁のダイヤル信号に対応した機能を実行する一方、上記設定手段により１桁のダイヤル操作が有効に設定されている状態において、上記電話機の通話中に、上記電話機から１桁のダイヤル信号を受信したときには、その１桁のダイヤル信号に対応した機能を実行することを特徴とする電話回線／ドアホン切替アダプタ。
【請求項２】
上記電話機によるダイヤル操作に対応させて登録された特定の機能は、上記監視盤による集合玄関の解錠、通話の保留、通話保留の解除、通話の保留及び他の通話開始、通話保留の解除及び他の通話終了のうちの少なくとも１つであることを特徴とする請求項１に記載の電話回線／ドアホン切替アダプタ。
【請求項３】
電話回線と、住戸の玄関口などに設置されたドアホンとを接続するとともに、電話機を接続し、上記電話回線、ドアホンのいずれかを切替接続して、上記電話機による通話を可能とする電話回線／ドアホン切替アダプタにおいて、
予め、上記電話機による複数桁のダイヤル操作の各々に対応させ、かつ、１桁のダイヤル操作の各々にも対応させた、特定の機能を登録しており、
上記電話機の通話中に有効なダイヤル操作を、複数桁のダイヤル操作と１桁のダイヤル操作のいずれかに切替可能に設定する設定手段を備え、
上記設定手段により複数桁のダイヤル操作が有効に設定されている状態において、上記電話機の通話中に、上記電話機から複数桁のダイヤル信号を受信したときには、その複数桁のダイヤル信号に対応した機能を実行する一方、上記設定手段により１桁のダイヤル操作が有効に設定されている状態において、上記電話機の通話中に、上記電話機から１桁のダイヤル信号を受信したときには、その１桁のダイヤル信号に対応した機能を実行することを特徴とする電話回線／ドアホン切替アダプタ。
【請求項４】
上記電話機によるダイヤル操作に対応させて登録された特定の機能は、通話の保留、通話保留の解除、通話の保留及び他の通話開始、通話保留の解除及び他の通話終了のうちの少なくとも１つであることを特徴とする請求項３に記載の電話回線／ドアホン切替アダプタ。
【発明の詳細な説明】
【０００１】
【発明の属する技術分野】
本発明は、電話回線とドアホンとを、電話機に対して切替接続する電話回線／ドアホン切替アダプタに関する。
【０００２】
【従来の技術】
図４は、従来の電話回線／ドアホン切替アダプタ（以下、単に「アダプタ」ともいう）の内部構成の一例を示すブロック図である。図示したアダプタ１００は、電話機２００を付加接続できるようになっており、また、集合住宅の各住戸に設置されたインターホンで構成され、集合住宅の中央（監視室、警備室など）に設置された監視盤４００に通話線Ｌ１と制御線Ｌ２を介して接続されている。
【０００３】
したがって、このアダプタ１００自身において、電話回線Ｌを通じた通話、ドアホン３００との通話、監視室や警備室などに設置された監視盤４００との通話、監視盤４００に更に接続された集合玄関子機５００（ロビーインターホン）との通話を可能とするとともに、電話機２００においても、アダプタ１００の切替制御により、電話回線Ｌ、ドアホン３００、監視盤４００、集合玄関子機５００との通話を可能にしている。
【０００４】
このアダプタ１００には、ＣＰＵなどで構成され、以下の各部を制御する制御部１１０と、電話機２００の接続を、電話回線Ｌとドアホン３００等との間で切り替える切替リレー１１１と、電話回線Ｌの使用状態を検出する外線使用状態検出回路１１２と、電話回線Ｌを通じた呼出を検出する着信検出回路１１３と、電話機２００からのダイヤル信号を検出するダイヤル検出部１１４と、ドアホン３００、監視盤４００、集合玄関子機５００との通話を制御するドアホン通話制御回路１１５と、このアダプタ１００自身での通話を行うための通話回路１１６及びハンドセット１１７と、呼出音を出力する呼出音出力部１１８及びスピーカＳＰとを備える。
【０００５】
通常は、切替リレー１１１は、電話機２００を電話回線Ｌに接続しており、ドアホン３００、監視盤４００、集合玄関子機５００のいずれかからの呼出を、ドアホン通話制御回路１１５が検出すると、制御部１１０は、切替リレー１１１を切り替えて、電話機２００とドアホン通話制御回路１１５とを接続し、ドアホン通話制御回路１１５から電話機２００に対して、呼出信号（６０Ｈｚ、約１８０Ｖｐ−ｐ）を送出する。
【０００６】
この呼出に対して、電話機２００が受話器を取り上げて応答すると、ドアホン通話制御回路１１５は呼出信号の送出を停止して、電話機２００とドアホン３００等との間での通話状態に移行する。
電話機２００では、例えば、集合玄関子機５００との通話中に、所定のダイヤル操作（例えば「５」をダイヤル）を行うと、ダイヤル検出部１１４がこれを検出し、制御部１１０が制御線Ｌ２を通じて解錠信号を送出する。すると、集合玄関子機５００側の電気錠が解錠できるようになっている。その後、電話機２００において受話器を元に戻せば、切替リレー１１１は、電話機２００と電話回線Ｌを接続するように切り替わる。
【０００７】
一方、ドアホン３００等から呼出があったときに、外線使用状態検出回路１１２において、電話機２００が電話回線Ｌを介して外線通話中であることを検出しているときは、制御部１１０は切替リレー１１１をドアホン３００側に切り替えることをしない。
なお、電話機２００のダイヤル操作の特定の機能には、集合玄関子機５００と通話中における電気錠の解錠以外に、電話回線Ｌを介した外線通話の保留（外線通話中に、例えば「０」をダイヤル）、外線通話の保留状態の解除（外線保留中に、例えば「０」をダイヤル）、外線通話中のドアホン応答及び通話保留（外線通話中のドアホン呼出時に、例えば「４」をダイヤル）、その後のドアホン通話終了及び外線通話の保留状態の解除（ドアホン通話中に、例えば「０」をダイヤル）などがある。
【０００８】
【発明が解決しようとする課題】
ところが、上記従来の電話回線／ドアホン切替アダプタでは、電話機のダイヤル操作による特定の機能が勝手に誤動作してしまう場合があった。
この場合、電話機のダイヤル操作には、プッシュボタン操作を含んでおり、また、パルス信号の送出とトーン信号の送出の両方を含んでいるが、通話中に、特定の機能を果たす１桁のトーン信号の周波数に近い周波数成分の音声（例えば、高い女声）が入力されたときには、その音声をトーン信号と誤って認識する場合があった。
【０００９】
それによって、ダイヤル操作をしていないにも拘らず、集合玄関の電気錠が解錠したり、ドアホン通話が終了して外線保留状態が解除するといった問題が発生していた。
図５は、上記動作の一例を示すタイムチャートであり、電話機のダイヤル操作によって、集合玄関の解錠を行う場合を示している。電話機では、（ａ）集合玄関子機との通話中に、（ｂ）「５」をダイヤルすれば、（ｃ）集合玄関の電気錠を解錠できるが、通話中にダイヤル操作をしていないにも拘らず、通話中の音声を誤認識して、電気錠を解錠する場合がある（矢印ア参照）。
【００１０】
本発明は、このような事情に鑑みてなされたものであり、電話機においてダイヤル操作をしていないにも拘らず、ダイヤル操作による特定の機能が誤って実行されることがないようにした電話回線／ドアホン切替アダプタを提供することを目的としている。
【００１１】
【課題を解決するための手段】
上記目的を達成するために、本発明の請求項１〜請求項２には、電話回線と、住戸の玄関口などに設置されたドアホンと、集合住宅の監視室などに設置された監視盤とを接続するとともに、電話機を接続し、電話回線、ドアホン、監視盤のいずれかを切替接続して、電話機による通話を可能とする電話回線／ドアホン切替アダプタの改良を提案する。
【００１２】
請求項１では、予め、上記電話機による複数桁のダイヤル操作の各々に対応させ、かつ、１桁のダイヤル操作の各々にも対応させた、特定の機能を登録しており、電話機の通話中に有効なダイヤル操作を、複数桁のダイヤル操作と１桁のダイヤル操作のいずれかに切替可能に設定する設定手段を備え、設定手段により複数桁のダイヤル操作が有効に設定されている状態において、電話機の通話中に、電話機から複数桁のダイヤル信号を受信したときには、その複数桁のダイヤル信号に対応した機能を実行する一方、設定手段により１桁のダイヤル操作が有効に設定されている状態において、電話機の通話中に、電話機から１桁のダイヤル信号を受信したときには、その１桁のダイヤル信号に対応した機能を実行することを特徴とする。
【００１３】
請求項２では、請求項１において、電話機によるダイヤル操作に対応させて登録された特定の機能は、監視盤による集合玄関の解錠、通話の保留、通話保留の解除、通話の保留及び他の通話開始、通話保留の解除及び他の通話終了のうちの少なくとも１つであることを特徴とする。
本発明の請求項３〜請求項４には、電話回線と、住戸の玄関口などに設置されたドアホンとを接続するとともに、電話機を接続し、電話回線、ドアホンのいずれかを切替接続して、電話機による通話を可能とする電話回線／ドアホン切替アダプタの改良を提案する。
【００１４】
請求項３では、予め、上記電話機による複数桁のダイヤル操作の各々に対応させ、かつ、１桁のダイヤル操作の各々にも対応させた、特定の機能を登録しており、電話機の通話中に有効なダイヤル操作を、複数桁のダイヤル操作と１桁のダイヤル操作のいずれかに切替可能に設定する設定手段を備え、設定手段により複数桁のダイヤル操作が有効に設定されている状態において、電話機の通話中に、電話機から複数桁のダイヤル信号を受信したときには、その複数桁のダイヤル信号に対応した機能を実行する一方、設定手段により１桁のダイヤル操作が有効に設定されている状態において、電話機の通話中に、電話機から１桁のダイヤル信号を受信したときには、その１桁のダイヤル信号に対応した機能を実行することを特徴とする。
【００１５】
請求項４では、請求項３において、電話機によるダイヤル操作に対応させて登録された特定の機能は、通話の保留、通話保留の解除、通話の保留及び他の通話開始、通話保留の解除及び他の通話終了のうちの少なくとも１つであることを特徴とする。
【００１６】
【発明の実施の形態】
以下に、本発明の実施の形態について、図面とともに説明する。
図１は、本発明の電話回線／ドアホン切替アダプタの基本動作の一例を示したタイムチャート、図２は、電話回線／ドアホン切替アダプタの構成の一例を示したブロック図である。
【００１７】
図２に示すように、電話回線／ドアホン切替アダプタ１は、電話回線Ｌと、住戸の玄関口などに設置されたドアホン３と、集合住宅の監視室などに設置された監視盤４とを接続するとともに、電話機２を接続し、電話回線Ｌ、ドアホン３、監視盤４のいずれかを切替接続して、電話機２による通話を可能とする。なお、アダプタ１と監視盤４とは、通話線Ｌ１と、多重伝送を行う制御線Ｌ２とを介して接続されており、監視盤４には更に、集合住宅の共同玄関に設置された集合玄関子機５（ロビーインターホン）を接続している。
【００１８】
アダプタ１には、予め、電話機２による複数桁のダイヤル操作の各々に対応させて、特定の機能を登録しており、電話機２の通話中に、電話機２から複数桁のダイヤル信号を受信したときには、その複数桁のダイヤル信号に対応して登録された機能を実行するようになっている。
図１は、その動作の一例を示すタイムチャートであり、電話機２のダイヤル操作によって、集合玄関の解錠を行う場合を示している。電話機２では、（ａ）集合玄関子機５との通話中に、（ｂ）予め定められた複数桁のダイヤル（例えば、「＊」「＊」「５」）をすれば、（ｃ）集合玄関の電気錠を解錠できる（矢印Ａを参照）。したがって、従来のように、通話中にダイヤル操作をしていない状態で、通話中の音声を１桁のダイヤル操作による信号と誤認識しても、電気錠を解錠するような場合がない（矢印Ｂ参照）。また、１桁のダイヤル操作によって、特定の機能が実行されることもない（矢印Ｃ参照）。
【００１９】
なお、このような動作は、電話機２のダイヤル操作によって、トーン信号の送出する場合のみに限定してもよい。パルス信号であれば誤認識することがなく、また、パルス信号を送出する場合に複数桁の操作を必要とすれば、操作時間が長くなり操作が面倒になるからである。また、図１では、３桁のダイヤル操作の場合を例示したが、これには限定されず、２桁や４桁以上の操作であってもよい。
【００２０】
図２に示したアダプタ１は、集合住宅の各住戸に設置されたインターホンで構成されており、このアダプタ１自身において、ドアホン３との通話、監視盤４との通話、監視盤４に更に接続された集合玄関子機５との通話を可能としている。なお、ここでは、ダイヤル操作部を備えずに、アダプタ１自身では、電話回線Ｌを通じた通話機能（外線通話機能）は備えていないものとしているが、これに限定されるものではない。
【００２１】
このアダプタ１には、図４に示した従来の構成と同様に、ＣＰＵなどで構成され、以下の各部を制御する制御部１０と、電話機２の接続を、電話回線Ｌとドアホン３等との間で切り替える切替リレー１１と、電話回線Ｌの使用状態を検出する外線使用状態検出回路１２と、電話回線Ｌを通じた呼出を検出する着信検出回路１３と、電話機２からのダイヤル信号を検出するダイヤル検出部１４と、ドアホン３、監視盤４、集合玄関子機５との通話を制御するドアホン通話制御回路１５と、このアダプタ１自身での通話を行うための通話回路１６及びハンドセット１７と、呼出音を出力する呼出音出力部１８及びスピーカＳＰとを備えている。なお、アダプタ１は、ハンドセット１７を備えずに、マイクとスピーカとを備えてハンズフリー通話を可能とする構成であってもよい。
【００２２】
通常は、切替リレー１１は、電話機２を電話回線Ｌに接続しており、電話機２での電話回線Ｌを介した通話（外線通話）ができるようになっている。ドアホン通話制御回路１５は、電圧降下などでドアホン３からの呼出を検出するとともに、制御線Ｌ２を通じた呼出信号の受信により、監視盤４又は集合玄関子機５からの呼出を検出できるようになっており、このドアホン通話制御回路１５が呼出を検出すると、制御部１０は、切替リレー１１を切り替えて、電話機２とドアホン通話制御回路１５とを接続し、ドアホン通話制御回路１５から電話機２に対して、呼出信号（６０Ｈｚ、約１８０Ｖｐ−ｐ）を送出する。
【００２３】
この呼出に対して、電話機２において受話器を取り上げる等で応答すると、ドアホン通話制御回路１５は呼出信号の送出を停止して、電話機２とドアホン３等との間で通話状態に移行する。
電話機２では、上記したように、例えば、集合玄関子機５との通話中に、電気錠解錠をするために予め定められた複数のダイヤル操作を行うと、ダイヤル検出部１４がこれを検出し、制御部１０が制御線Ｌ２を通じて解錠信号を送出する。すると、集合玄関子機５側の共同玄関の電気錠が解錠される。その後、電話機２において受話器を元に戻す等で通話を終了すれば、切替リレー１１は、電話機２と電話回線Ｌを接続するように切り替わる。
【００２４】
一方、ドアホン３等から呼出があったときに、外線使用状態検出回路１２において、電話機２が電話回線Ｌによって通話中（外線通話中）であることを検出しているときは、制御部１０は切替リレー１１をドアホン３側に切り替えることをしない。
なお、以上には、電話機２のダイヤル操作の特定の機能として、集合玄関子機５との通話中における電気錠の解錠について説明したが、これ以外に、通話の保留、通話保留の解除、通話の保留及び他の通話開始、通話保留の解除及び他の通話終了などがあり、本発明のアダプタ１は、これらのうちの少なくとも１つを備えている。
【００２５】
通話の保留機能、通話の保留解除機能を実行可能とする通話には、電話回線Ｌを介した通話（外線通話）、ドアホン３との通話、監視盤４との通話、集合玄関子機５との通話のうちの少なくとも１つがある。
また、通話の保留及び他の通話開始機能、通話保留の解除及び他の通話終了機能を実行可能とする、通話と他の通話の組み合わせには、外線通話とドアホン３との通話、外線通話と監視盤４又は集合玄関子機５との通話、ドアホン３との通話と監視盤４又は集合玄関子機５との通話のうちの少なくとも１つがある。なお、これらの組み合わせには、先に開始している通話と、後から開始する通話（他の通話）を入れ替えた組み合わせも含まれる。
【００２６】
電話機２において外線通話中に、ドアホン３、監視盤４、集合玄関子機５のいずれかから呼出があったときには、呼出音出力部１８によりスピーカＳＰから呼出音を出力する。
電話機２においてドアホン通話中に、外線から呼出があったときには、ドアホン通話制御回路１５によって呼出音を作成して、通話中の信号に重畳させる。電話機２においてドアホン通話中に、監視盤４から呼出があったときには、強制的に監視盤４との通話に切り替える。電話機２においてドアホン通話中に、集合玄関子機５から呼出があったときには、呼出音出力部１８によってスピーカＳＰから呼出音を出力する。
【００２７】
電話機２において監視盤４又は集合玄関子機５と通話中に、外線から呼出があったときには、ドアホン通話制御回路１５によって呼出音を作成して、通話中の信号に重畳させる。電話機２において監視盤４又は集合玄関子機５と通話中に、ドアホン３から呼出があったときには、呼出音出力部１８によってスピーカＳＰから呼出音を出力する。
【００２８】
なお、図２に示したアダプタ１では、アダプタ１自身でも通話機能を備えているため、ハンドセット１７によってドアホン通話中に、外線から呼出があったときには、電話機２において呼出音が出力される。また、監視盤４又は集合玄関子機５と通話中に、外線から呼出があったときも、電話機２において呼出音が出力される。
【００２９】
以上のようにして呼出音が出力されたときに、アダプタ１に保留機能が備わっていれば、一旦、他の通話に切り替えることが可能になるが、保留機能が備わっていなければ、通話をしていないハンドセット１７又は電話機２で応答するか、通話を終了してから応答することが出来る。
また、図２に示したように、アダプタ１には、電話機２の通話中に有効なダイヤル操作を、複数桁のダイヤル操作と、１桁のダイヤル操作のいずれかに設定する設定手段として、スイッチ部１９を備えることができる。
【００３０】
この場合、アダプタ１には、従来と同様に、予め、電話機２による１桁のダイヤル操作の各々に対応させて、特定の機能を更に登録しており、スイッチ部１９により複数桁のダイヤル操作が有効に設定されている状態において、電話機２の通話中に、電話機２から複数桁のダイヤル信号を受信したときには、その複数桁のダイヤル信号に対応した機能を実行する一方、スイッチ部１９により１桁のダイヤル操作が有効に設定されている状態において、電話機２の通話中に、電話機２から１桁のダイヤル信号を受信したときには、その１桁のダイヤル信号に対応した機能を実行する。
【００３１】
これによって、誤動作の問題が生じないような場合、例えば、声の高い女声が通話することがない場合には、従来通り、１桁のダイヤル操作で、特定の機能を実行することができるため、操作を簡単にできる。
次に、電話回線／ドアホン切替アダプタの別の構成の一例を図３にブロック図で示す。このアダプタ１Ａは、電話回線Ｌと、住戸の玄関口などに設置されたドアホン３とを接続するとともに、電話機２を接続しており、図２に示した構成とは、監視盤４、集合玄関子機５に接続されていない点でのみ異なっている。したがって、このアダプタ１Ａは、集合住宅の住戸には限定されず、一戸建ての住戸においても適用可能である。
【００３２】
アダプタ１Ａは、電話回線Ｌ、ドアホン３のいずれかを切替接続して、電話機２による通話を可能とする。アダプタ１Ａには、予め、電話機２による複数桁のダイヤル操作の各々に対応させて、特定の機能を登録しており、電話機２の通話中に、電話機２から複数桁のダイヤル信号を受信したときには、その複数桁のダイヤル信号に対応して登録された機能を実行するようになっている。
【００３３】
アダプタ１Ａは、図２に示した構成と同様に、インターホンで構成されており、このアダプタ１Ａ自身においても、ドアホン３との通話を可能とする。このアダプタ１Ａには、図２に示した構成と同様に、制御部１０と、電話機２の接続を、電話回線Ｌとドアホン３との間で切り替える切替リレー１１と、電話回線Ｌの使用状態を検出する外線使用状態検出回路１２と、電話回線Ｌを通じた呼出を検出する着信検出回路１３と、電話機２からのダイヤル信号を検出するダイヤル検出部１４と、ドアホン３との通話を制御するドアホン通話制御回路１５と、このアダプタ１Ａ自身での通話を行うための通話回路１６及びハンドセット１７と、呼出音を出力する呼出音出力部１８及びスピーカＳＰとを備えている。なお、アダプタ１Ａは、ハンドセット１７を備えずに、ハンズフリー通話を可能とする構成であってもよい。
【００３４】
通常は、切替リレー１１は、電話機２と電話回線Ｌを接続しており、電話機２での電話回線Ｌを介した通話（外線通話）ができるようになっている。ドアホン通話制御回路１５は、電圧降下などでドアホン３からの呼出を検出すると、制御部１０は、切替リレー１１を切り替えて、電話機２とドアホン通話制御回路１５とを接続し、ドアホン通話制御回路１５から電話機２に対して、呼出信号（６０Ｈｚ、約１８０Ｖｐ−ｐ）を送出する。
【００３５】
この呼出に対して、電話機２が受話器を取り上げる等で応答すると、ドアホン通話制御回路１５は呼出信号の送出を停止して、電話機２とドアホン３との間で通話状態に移行する。
電話機２では、例えば、ドアホン３との通話中に、通話を保留するために予め定められた複数のダイヤル操作を行うと、ダイヤル検出部１４がこれを検出し、制御部１０が、電話機２とドアホン３との通話を保留状態にする。また、同様の操作によって保留状態を解除することができ、その後、通話が終って、電話機２において受話器を元に戻す等の操作をすれば、切替リレー１１は、電話機２と電話回線Ｌを接続するように切り替わる。
【００３６】
一方、ドアホン３から呼出があったときに、外線使用状態検出回路１２において、電話機２が電話回線Ｌによって通話中（外線通話中）であることを検出しているときは、制御部１０は切替リレー１１をドアホン３側に切り替えることをしない。
なお、電話機２のダイヤル操作の特定の機能には、通話の保留、通話保留の解除、通話の保留及び他の通話開始、通話保留の解除及び他の通話終了などがあり、これらのうちの少なくとも１つを備えている。
【００３７】
通話の保留機能、通話の保留解除機能を実行可能とする通話には、電話回線Ｌを介した通話（外線通話）、ドアホン３との通話（ドアホン通話）のうちの少なくとも１つがある。また、通話の保留及び他の通話開始機能、通話保留の解除及び他の通話終了機能を実行可能とする、通話と他の通話の組み合わせには、外線通話とドアホン３との通話、ドアホン３の通話と外線通話のうちの少なくとも１つがある。
【００３８】
電話機２において外線通話中に、ドアホン３から呼出があったときには、呼出音出力部１８によってスピーカＳＰから呼出音を出力する。電話機２においてドアホン通話中に、外線から呼出があったときには、ドアホン通話制御回路１５によって呼出音を作成して、通話信号に重畳させる。
なお、このアダプタ１Ａは、アダプタ１Ａ自身でも通話機能を備えているため、ハンドセット１７によってドアホン通話中に、外線から呼出があったときには、電話機２において呼出音が出力される。
【００３９】
以上のようにして呼出音が出力されたときに、特定の機能として、保留機能が備わっていれば、一旦、他の通話に切り替えることが可能であるが、保留機能が備わっていなければ、通話をしていないハンドセット１７又は電話機２で応答するか、通話を終了してから応答することが出来る。
また、図３に示したように、アダプタ１Ａには、電話機２の通話中に有効なダイヤル操作を、複数桁のダイヤル操作と、１桁のダイヤル操作のいずれかに設定する設定手段として、スイッチ部１９を備えることができる。
【００４０】
この場合、アダプタ１Ａには、従来と同様に、予め、電話機２による１桁のダイヤル操作の各々に対応させて、特定の機能を更に登録しており、スイッチ部１９により複数桁のダイヤル操作が有効に設定されている状態において、電話機２の通話中に、電話機２から複数桁のダイヤル信号を受信したときには、その複数桁のダイヤル信号に対応した機能を実行する一方、スイッチ部１９により１桁のダイヤル操作が有効に設定されている状態において、電話機２の通話中に、電話機２から１桁のダイヤル信号を受信したときには、その１桁のダイヤル信号に対応した機能を実行する。
【００４１】
これによって、誤動作の問題が生じないような場合、例えば、声の高い女声が通話することがない場合には、従来通り、１桁のダイヤル操作で、特定の機能を実行することができるため、操作を簡単にできる。
【００４２】
【発明の効果】
以上の説明からも理解できるように、本発明の請求項１〜請求項２に記載の電話回線／ドアホン切替アダプタでは、電話回線、ドアホン、監視盤のいずれかを切替接続して、電話機による通話を可能とする構成において、電話機の通話中における特定機能のためのダイヤル操作を、複数桁で構成しているので、従来のように、通話中にダイヤル操作をしていないにも拘らず、通話中の音声を誤認識して、特定の機能を実行することがない。
【００４３】
また、電話機の通話中に有効なダイヤル操作を、複数桁のダイヤル操作と、１桁のダイヤル操作のいずれかに設定することができるので、誤動作の問題が生じないような場合には、従来通り、１桁のダイヤル操作で特定の機能を実行することにより、操作を簡単にすることができる。
請求項３〜請求項４に記載の電話回線／ドアホン切替アダプタでは、電話回線とドアホンとを切替接続して、電話機による通話を可能とする構成において、電話機の通話中における特定機能のためのダイヤル操作を、複数桁で構成しているので、従来のように、通話中にダイヤル操作をしていないにも拘らず、通話中の音声を誤認識して、特定の機能を実行することがない。
【００４４】
また、電話機の通話中に有効なダイヤル操作を、複数桁のダイヤル操作と、１桁のダイヤル操作のいずれかに設定することができるので、誤動作の問題が生じないような場合には、従来通り、１桁のダイヤル操作で特定の機能を実行することにより、操作を簡単にすることができる。
【図面の簡単な説明】
【図１】本発明の電話回線／ドアホン切替アダプタの動作の一例を示すタイムチャートである。
【図２】本発明の電話回線／ドアホン切替アダプタの構成の一例を示すブロック図である。
【図３】本発明の電話回線／ドアホン切替アダプタの他の構成の一例を示すブロック図である。
【図４】従来の電話回線／ドアホン切替アダプタの構成の一例を示すブロック図である。
【図５】従来の電話回線／ドアホン切替アダプタの動作の一例を示すタイムチャートである。
【符号の説明】
１，１Ａ  電話回線／ドアホン切替アダプタ
１０  制御部
１１  切替リレー
１２  外線使用状態検出回路
１３  着信検出回路
１４  ダイヤル検出部
１５  ドアホン通話制御回路
１９  スイッチ部
２    電話機
３    ドアホン
４    監視盤
５    集合玄関子機
Ｌ    電話回線
【図１】
0003669477.tif 000002
【図２】
0003669477.tif 000003
【図３】
0003669477.tif 000004
【図４】
0003669477.tif 000005
【図５】
0003669477.tif 000006